(57)【特許請求の範囲】
【請求項１】
情報記録媒体に光スポットを形成して情報記録媒体に対する情報の記録、再生を行う光ピックアップ装置であって、光源からの光束を集光して前記情報記録媒体上に前記光スポットを形成するための対物レンズと、該対物レンズを保持する対物レンズアクチュエータと、前記対物レンズに光束を供給する前記光源と、当該光源を保持するピックアップハウジングと、からなる光ピックアップ装置において、
前記対物レンズの光軸と直交する方向で前記ピックアップハウジングの適所に複数のピンを突設し、
前記対物レンズアクチュエータは、前記対物レンズと、該対物レンズを保持するレンズホルダーと、該レンズホルダーを支持する弾性支持部材と、該弾性支持部材の基部を固定するステムと、該ステムを固定するアクチュエータベースと、からなり、
前記アクチュエータベースは、後端に立上げ部分を有する板金であり、
前記立上げ部分の端部に切欠き状の複数の開口部を設け、前記ピックアップハウジングに前記対物レンズアクチュエータを組み付けた時に前記各開口部と前記各ピンを嵌合した状態で各開口部内に接着剤を充填して前記アクチュエータベースを前記ピックアップハウジングに接着固定することを特徴とする光ピックアップ装置。
【請求項２】
情報記録媒体に光スポットを形成して情報記録媒体に対する情報の記録、再生を行う光ピックアップ装置であって、光源からの光束を集光して前記情報記録媒体上に前記光スポットを形成するための対物レンズと、該対物レンズを保持する対物レンズアクチュエータと、該対物レンズに光束を供給する前記光源と、該光源を保持するピックアップハウジングと、からなる光ピックアップ装置において、
前記対物レンズの光軸と直交する方向で前記ピックアップハウジングの適所に複数のピンを突設し、
前記対物レンズアクチュエータは、前記対物レンズと、該対物レンズを保持するレンズホルダーと、該レンズホルダーを支持する弾性支持部材と、該弾性支持部材の基部を固定するステムと、該ステムを固定するアクチュエータベースと、からなり、
前記アクチュエータベースは、後端に立上げ部分を有する板金であり、
前記立上げ部分の屈曲部分に複数の開口部を設け、前記ピックアップハウジングに前記対物レンズアクチュエータを組み付けた時に前記各開口部と前記各ピンを嵌合した状態で各開口部内に接着剤を充填して前記アクチュエータベースを前記ピックアップハウジングに接着固定することを特徴とする光ピックアップ装置。
【請求項３】
前記対物レンズから見て前記情報記録媒体とは反対側位置となる前記アクチュエータベース部分に複数の突起部を設けたことを特徴とする請求項１又は２に記載の光ピックアップ装置。
【請求項４】
前記ピンは半田接着可能な材料から構成され、前記接着剤は半田であることを特徴とする請求項１乃至３の何れか一項に記載の光ピックアップ装置。
【請求項５】
前記ピンは、半田接着可能な材料でメッキされ、前記接着剤は半田であることを特徴とする請求項１乃至３の何れか一項に記載の光ピックアップ装置。
【発明の詳細な説明】
【０００１】
【発明の属する技術分野】
本発明は光ピックアップ装置に関し、詳細には光源等を支持するピックアップハウジングと、アクチュエータによって支持された対物レンズとの間に介在する部品点数が多いために精度が悪化したり、剛性が低下したり、或は組み付け作業数が増えて支持剛性が低下するという不具合を解消することができる光ピックアップ装置に関する。
【０００２】
【従来の技術】
光ピックアップ装置は、光源である半導体レーザの発する光束を対物レンズに集光して光スポットを作り、情報記録媒体である光ディスク上に光スポットを形成して、情報の記録、再生、消去を行う。この際に、対物レンズの光軸と光ディスク面とが垂直な位置関係にないと、コマ収差が光スポットに発生し、記録、再生、消去特性が劣化する。
このために、製造段階において対物レンズの傾き調整を行うのが、一般的である。
図８は特開平１１−１１０７７７号公報に開示された対物レンズの傾き調整を行う機構についての従来例を示す。対物レンズ４７は、レンズホルダー７０に固定され、調整プレート７８に固定されたダイヤフラムバネ８０ａから延びる４本のバネワイヤ８０が２軸支持体７９とレンズホルダー７０との間に介在することにより、対物レンズは、その光軸方向と光軸直交方向とに移動自在に弾性支持されている。２軸支持体７９は、調整プレート７８に固定されている。対物レンズ４７の光軸の傾き調整は、調整プレート７８を傾き調整微動させることにより行われる。図示しないピックアップハウジングには、ヨークベース（アクチュエータベース）７４がネジ固定されている。ヨークベース７４に設けた立ち上げ部７４ａ、調整プレート７８に設けた立ち上げ部７８ａとの間を半田Ｓにより接着することにより、前記傾き調整後の対物レンズの傾き位置を固定する。
しかし、上記従来例には、次の問題点がある。
まず、調整プレート７８は、直接ピックアップハウジングに固定されていないので、部品点数が増大する。即ち、ヨークベース７４と調整プレート７８とが必要になる。このように部品点数が増大することにより、部品コスト、組み付け工数が増大する。
また、ヨークベース７４をピックアップハウジングに対してネジ締め固定する必要がある為、その分組み付け作業数が増えて生産性が低下するばかりでなく、接続部が増える為支持剛性が低下する。
また、ピックアップハウジングと対物レンズとの間に介在する部品点数が多くなり、部品点数が増大する結果、性能、機能等についての信頼性が低下する。即ち、部品精度の積み上げ数の増大、経時変化する部品点数の増大、温度により形状変形する箇所の増大により、信頼性の低下が著しくなる。特に、部品点数が増大し接続部分が増えることにより対物レンズの支持剛性が劣化することが問題である。特にヨークベースとピックアップハウジングとのネジ締め部分追加により剛性劣化が起き、信頼性が著しく低下する。
【０００３】
【発明が解決しようとする課題】
上記従来例では、ピックアップハウジングに直接ヨークベース（アクチュエータベース）を固定していないために、調整プレートと言う新たな部品が格別に必要となる。また、ピックアップハウジングと対物レンズとの間に介在する部品点数が多いために、精度が悪化し、剛性が低下する。また、ピックアップハウジングと調整プレートとの間の固定手段（ネジ締めなど）が必要になり、その分組み付け作業数が増えて、支持剛性が低下する、という欠点があった。
本発明は上記に鑑みてなされたものであり、対物レンズの傾き調整後に、ピックアップハウジングに対してアクチュエータベースを固定する手段として半田等の接着剤を用いることにより、部品点数を削減することを課題とする。また、光ピックアップ装置を薄型化し、かつアクチュエータベースの部品精度を向上させることを課題とする。
即ち、請求項１に記載の発明は、対物レンズを弾性支持する部品を、ピックアップハウジングに直接接着することを可能にすることで、上記主目的を実現し、かつ光ピックアップ装置を薄型化することを目的とする。
請求項２記載の発明は、対物レンズを弾性支持する部品を、ピックアップハウジングに直接接着することを可能にすることで、上記主目的を実現し、かつ光ピックアップ装置を薄型化し、アクチュエータベースの部品精度を向上させることを目的とする。
請求項３記載の発明は、対物レンズの傾き調整を簡易化することを目的とする。
請求項４記載の発明は、対物レンズを弾性支持する部品を、ピックアップハウジングに直接接着することを可能にすることで、上記主目的を実現することを目的とする。
請求項５記載の発明は、対物レンズを弾性支持する部品を、ピックアップハウジングに直接接着することを可能にすることで、上記主目的を実現することを目的とする。
【０００４】
【課題を解決するための手段】
情報記録媒体に光スポットを形成して情報記録媒体に対する情報の記録、再生を行う光ピックアップ装置であって、光源からの光束を集光して前記情報記録媒体上に前記光スポットを形成するための対物レンズと、該対物レンズを保持する対物レンズアクチュエータと、前記対物レンズに光束を供給する前記光源と、当該光源を保持するピックアップハウジングと、からなる光ピックアップ装置において、前記対物レンズの光軸と直交する方向で前記ピックアップハウジングの適所に複数のピンを突設し、前記対物レンズアクチュエータは、前記対物レンズと、該対物レンズを保持するレンズホルダーと、該レンズホルダーを支持する弾性支持部材と、該弾性支持部材の基部を固定するステムと、該ステムを固定するアクチュエータベースと、からなり、前記アクチュエータベースは、後端に立上げ部分を有する板金であり、前記立上げ部分の端部に切欠き状の複数の開口部を設け、前記ピックアップハウジングに前記対物レンズアクチュエータを組み付けた時に前記各開口部と前記各ピンを嵌合した状態で各開口部内に接着剤を充填して前記アクチュエータベースを前記ピックアップハウジングに接着固定する光ピックアップ装置を特徴とする。
請求項２記載の発明は、請求項１記載の光ピックアップ装置において、情報記録媒体に光スポットを形成して情報記録媒体に対する情報の記録、再生を行う光ピックアップ装置であって、光源からの光束を集光して前記情報記録媒体上に前記光スポットを形成するための対物レンズと、該対物レンズを保持する対物レンズアクチュエータと、該対物レンズに光束を供給する前記光源と、該光源を保持するピックアップハウジングと、からなる光ピックアップ装置において、前記対物レンズの光軸と直交する方向で前記ピックアップハウジングの適所に複数のピンを突設し、前記対物レンズアクチュエータは、前記対物レンズと、該対物レンズを保持するレンズホルダーと、該レンズホルダーを支持する弾性支持部材と、該弾性支持部材の基部を固定するステムと、該ステムを固定するアクチュエータベースと、からなり、前記アクチュエータベースは、後端に立上げ部分を有する板金であり、前記立上げ部分の屈曲部分に複数の開口部を設け、前記ピックアップハウジングに前記対物レンズアクチュエータを組み付けた時に前記各開口部と前記各ピンを嵌合した状態で各開口部内に接着剤を充填して前記アクチュエータベースを前記ピックアップハウジングに接着固定する光ピックアップ装置を特徴とする。
請求項３記載の発明は、請求項１又は２に記載の光ピックアップ装置において、前記対物レンズから見て前記情報記録媒体とは反対側位置となる前記アクチュエータベース部分に複数の突起部を設けた光ピックアップ装置を特徴とする。
請求項４記載の発明は、請求項１乃至３の何れか一項に記載の光ピックアップ装置において、前記ピンは半田接着可能な材料から構成され、前記接着剤は半田である光ピックアップ装置を特徴とする。
請求項５記載の発明は、請求項１乃至３の何れか一項に記載の光ピックアップにおいて、前記ピンは、半田接着可能な材料でメッキされ、前記接着剤は半田である光ピックアップ装置を特徴とする。
【０００５】
【発明の実施の形態】
以下、本発明を図面に示した実施の形態により詳細に説明する。
図１(a) は本発明の一実施形態に係る光ピックアップ装置を構成する対物レンズアクチュエータの一例の全体構成を示す斜視図、(b) はその平面図である。
対物レンズ１６５は、レンズホルダー１７０に固定されている。レンズホルダー１７０には、対物レンズ光軸方向（以下、フォーカシング方向、という）に推力を得るためにフォーカシングコイル１７１、フォーカシング方向に直交した方向（以下、トラッキング方向、という）に推力を得るためにトラッキングコイル１７２が夫々固定されている。より詳細には、これらのコイル１７１、１７２を固定するボビン１７３をレンズホルダー１７０に固定している。これらのコイル１７１、１７２に磁束を供給して推力を得るために、２つの磁石１７５が底部を構成するアクチュエータベース１７４に設けたヨーク１７６に固定されている。さらに、２つのヨーク１７６をトップヨーク１７７で連結している。レンズホルダー１７０は、４個のダイヤフラムバネ１８０ａから夫々延びる４本のワイヤー（弾性支持部材）１８０を介して、アクチュエータベース１７４に固定されたステム１７９に弾性支持されている。以上の構成により対物レンズ１６５は、アクチュエータベース１７４に対して、フォーカシング方向とトラッキング方向に関して移動自在に弾性支持されており、かつ、コイル１７５、１７６に給電することにより、２方向に駆動推力を得ることが可能である。
上記構成部品から成る対物レンズアクチュエータ１６０は、その底部を構成するアクチュエータベース１７４の直下位置にあるピックアップハウジング２１０により支持されている。
対物レンズアクチュエータ１６０の近傍には図示しないスピンドルモータにより回転自在に支持されたターンテーブルが設けられており、ターンテーブルによって図示しない光ディスクの中心部を支持してこれを回転させる。対物レンズ１６５からの光軸が光ディスクの面に対して直交するように対物レンズの傾きを微動調整する必要がある為、製造工程において傾き調整が行われる。
【０００６】
本発明においては、ピックアップハウジング２１０と対物レンズアクチュエータ１６０との間の簡単な調整のための機構を利用して、簡単な操作によって対物レンズの傾きを調整可能としている。
即ち、ピックアップハウジング２１０には、ピン２００が所定の配置で２か所突設されている。各ピン２００の位置に対応して、アクチュエータベース１７４には２つの開口部２０１が設けてある。開口部２０１の径、形状は、ピン２００を嵌合した際に十分な余裕を有するように設定されている。この例では、開口部２０１は前後方向へ長い長穴（楕円形）状である。
なお、開口部２０１は、ほぼ矩形の対物レンズアクチュエータ１６０に対して、張り出し部状のアクチュエータベース１７４上に左右対称位置に形成されている。
ピックアップハウジング２１０に対して、対物レンズアクチュエータ１６０（アクチュエータベース１７４）を傾斜調整することにより、対物レンズ１６５の傾きを調整し、対物レンズの光軸を情報記録媒体面と直交させる調整を行うが、この調整操作後に、ピン２００と開口部２０１との間の空間に半田、導電性接着剤等の接着剤（バインダ）を流し込んで固定する。図２は、接着剤２０３を開口部２０１内に充填して固定した後の状態を示す。
このように対物レンズ１６５の傾きを調整操作した後に、ピックアップハウジング２１０に対してアクチュエータベース１７４（対物レンズアクチュエータ）を固定する手段として半田等の接着剤を用いることにより、部品点数を削減することができる。また、対物レンズを弾性支持する部品を、ピックアップハウジングに直接接着することにより、部品点数を減らし、ピックアップハウジングと対物レンズとの間に介在する部品点数を低減して、精度を高め、剛性を高めることができる。また、調整プレート等の余計な部品が不要となる為、ピックアップハウジングと調整プレートとの間の固定手段（ネジ締めなど）が不要になり、その分組み付け作業数を減少し、支持剛性を向上することができる。
【０００７】
次に、光ピックアップ装置は、光ディスクの半径方向に移動して、光ディスクの任意の半径位置に対して情報の記録、再生、消去を行う為に、軽量化して、高速に移動できるようにする必要がある。また、光ピックアップに搭載されている光源である半導体レーザは、温度上昇により寿命が低下するから、ピックアップハウジングを高熱伝導率な材質で作り放熱を促進してやる必要がある。さらに、各種光学部品を搭載し位置決めするので、高い加工精度が要求される。
以上の理由から、アクチュエータベース１７４等を支持するピックアップハウジング２１０を、軽量で熱伝導率が高く加工精度がよいアルミダイキャストや亜鉛ダイキャスト、マグネシューム合金で作ることが好ましい。これらの材質は、半田の着きが悪い（半田とのなじみが悪い）。
また、アクチュエータベース１７４は、磁気回路に使用されるので、鉄により構成されている。図１で説明したように、ピン２００と開口部２０１とを接着する手段として半田を用いる場合、経時硬化型接着剤や紫外線硬化型接着剤を用いる場合と比べて、作業時間が少なく、温度をかける、紫外線を照射する等の特別な接着剤硬化工程が不要であるという利点がある。しかしながら、既に説明したように、ピックアップハウジング２１０に用いられる材質は、軽量で熱伝導率が高く加工精度がよい一方で半田の着きが悪い材質である。
このような問題に対処する為に、本発明では、ピン２００の材質として、銅、黄銅、金等、半田との接着性が良好な材料を選定している。即ち、ピン２００だけをピックアップハウジング２１０とは異なる材質のものを用いる。
従って、上記各材質から成るピン２００が開口部２０１内に嵌合するように位置決めした後で、開口部２０１内に半田を充填して固化させることにより、確実な固着が行われる。
なお、ピン２００の基材の材質が半田とのなじみの悪い材質であっても、その表面に錫、半田などの半田接着可能な材料をメッキしてもよい。これにより、ピン２００と開口部２０１とを接着する接着剤に半田を使用できる。
【０００８】
次に、図３は他の実施形態であり、この実施形態では、ピックアップハウジング２１０から突出するピン２００の突出方向が対物レンズの光軸と平行であったが、この実施形態ではピン２００は対物レンズの光軸と直交する方向へ突出している。
即ち、図３に示すようにアクチュエータベース１７４の後端縁には、略直角に折り曲げられた立上げ部２１２が設けてある。さらに、立上げ部２１２には、貫通孔或は切欠き部等から成る開口部２１５が少なくとも２個所設けてある。ピックアップハウジング２１０は、立上げ部２１２と対面するように垂直な壁２１０ａを有し、この垂直な壁２１０ａからは前方へ向けて２本のピン２１１が一体的に突設されている。各ピン２１１は各開口部２１５と対応しており、各開口部２１５内に各ピン２１１が嵌合する。
なお、立ち上げ部２１２は、弾性支持部材としてのワイヤー１８０の基部（１８０ａ）を支持する手段でもある。
２本のピン２１１の材質は、例えば銅、黄銅、金などの半田接着可能な材質か、あるいは、半田接着しにくい金属の表面に錫、半田などをメッキしたものであってもよい。
ピックアップハウジング２１０に対する対物レンズアクチュエータ１６０の位置関係を傾斜微動調整して、対物レンズ１６５の傾きを調整した後に、ピン２１１と開口部２１５との間の空所に溶融半田を流し込んで固定する。このような構成にすれば、図２の例のようにアクチュエータベース１７４の下面に沿ってピックアップハウジングを配置する必要がない。つまり、対物レンズ１６５の厚み方向にピックアップハウジングを配置する必要がなく、対物レンズ１６５の直径方向にのみピックアップハウジングを存在させればよいので、光ピックアップ装置の薄型化が可能である。
【０００９】
次に、図４は本発明の他の実施形態に係る光ピックアップ装置の要部（アクチュエータベース、レンズホルダ等から成る対物レンズアクチュエータ１６０）を底面から見た図である。
後端に立ち上げ部２１２を有したアクチュエータベース１７４の底面には、円形突起（被保持部分）２２０が４つ設けてある。ロボットアーム等の図示しない治具によってアクチュエータベースの底面と立上げ部２１２を保持してこの部品の移載、組み付け作業等を実施する際に、治具に設けた穴を円形突起２２０に嵌合させて位置決めした上で、アクチュエータベース１７４に設けた立上げ部２１２を軸の保持手段によって保持する。対物レンズ１６５の傾き調整作業は、対物レンズにより形成される光スポットの観察、あるいは、再生信号などの信号特性観察によって傾き誤差を測定した上で行っている。前者の場合は、対物レンズ近傍に顕微鏡レンズを設置し、後者の場合は、対物レンズの近傍に光ディスクを設置する必要があるが、いずれの場合も、対物レンズ近傍にアクチュエータベース（対物レンズアクチュエータ）を保持する治具を差し込む為の十分なスペースがないので、アクチュエータベースを保持する為の治具（ロボットアーム）の省スペース化が必要である。本発明によれば、円形突起２２０を利用してアクチュエータベースを保持する治具をアクチュエータベース下面に設置できるので、アクチュエータベースを保持する治具のためのスペースが充分確保される。
なお、アクチュエータベース１７４の底面に設ける突起としては、円形突起に限らず、治具による保持が可能な突起であればどのような突起であってもよい。
【００１０】
次に、図５は図４のアクチュエータベースをＡ方向から見た図であり、立上げ部２１２の上端縁２１２ａから下向きに設けた切欠き状の開口部２１５は、ピックアップハウジング２１０に設けたピン２１１（図３参照）の挿入をガイドする入口のガイド部分２１５Ｂと、ピン２１１と半田接着される内奥の被接着部分２１５Ａからなる。
アクチュエータベース１７４（対物レンズアクチュエータ１６０）をピックアップハウジング２１０に組み付けるに際しては、対物レンズ１６５の光軸方向下側からピックアップハウジング２１０のピン２１１に対して開口部２１５を嵌合させる操作を行う。その際には、ピン２１１は、開口部２１５のガイド部分２１５Ｂから挿入される。このようにしてアクチュエータベース１７４をピックアップハウジング２１０に挿入した後に、アクチュエータベース１７４の傾斜微動調整を行い、その後対物レンズの傾き調整を実施した後に、ピン２１１と開口部２１５の被接着部分２１５Ａとを半田接着する。
この実施形態では、開口部入口のガイド部分２１５Ｂに向けてピン２１１を上から下向きに移動するだけでピンは開口部内に嵌合し、ピックアップハウジングにアクチュエータベースを挿入することが可能となり、組みつけが容易となる。さらに、ピックアップハウジングに対物レンズアクチュエータを挿入する際のアクチュエータベースの移動軌跡が最小であるので、光ピックアップ装置の小型化、薄型化が可能となる。
図６は本発明の他の実施形態に係る光ピックアップ装置の要部構成（対物レンズアクチュエータ）を説明する平面図であり、この実施形態の対物レンズアクチュエータはその平面形状がほぼ長方形であり、その底部を構成するアクチュエータベース１７４には、２つの張り出し部１７４Ａ、１７４Ｂが左右非対称状、換言すれば対角状に配置されており、各張り出し部上には夫々開口部２５０，２５１が貫通形成されている。各開口部２５０、２５１にピックアップハウジング２１０の上面に設けた各ピン２００を挿入し、半田接着する。このように、半田接着箇所としての開口部２５０、２５１が対角状に設けられているので、ピックアップハウジング２１０に対するアクチュエータの支持剛性が高くなる。つまり、図３、図４にて説明した他の実施形態の場合は、アクチュエータベース１７４がその後端の立上げ部２１２のみを片持ち状態で支持されているので支持剛性が低いが、本実施形態では対角状に配置した２つの開口部２５０、２５１を利用して固定しているので、支持安定性が高い。
対物レンズアクチュエータは、対物レンズ１６５を高精度にフォーカス方向、トラッキング方向に位置決めするので、アクチュータベース１７４が微動してしまうと、対物レンズの位置が動いてしまう。対物レンズアクチュエータ内に設けられたコイルに発生する反力はアクチュエータベースに伝わるので、アクチュエータベースはピックアップハウジング２１０に対して高い支持剛性で保持されている必要がある。本発明によれば、アクチュエータベースをピックアップハウジング２１０に対して高い支持剛性で保持することが可能である。
【００１１】
次に、図７は本発明の他の実施形態に係るアクチュエータベース１７４の底部斜視図であり、図４、図５の例と同様にアクチュエータベース１７４の底面には円形突起２２０が設けられている（図７では円形突起２つ図示されているが、他の２つが省略されており、図４の場合と同様に合計４つある）。符号１７６はヨークであり、２つある内の１方を図示してある。
既に説明したように、対物レンズ１６５を保持するレンズホルダー１７０は、４本のワイヤー１８０を介してステム１７９に保持される。符号２１２は、ステム１７９を固定する為の立上げ部である。アクチュエータベース１７４の底面から立上げ部２１２にかけては長穴状の開口部２１５を設けてある。鎖線で示したピックアップハウジング２１０に設けた各ピン２１１を各開口部２１５内に挿入して、半田等の接着剤により接着固定する。
このように、立上げ部２１２の根元（屈曲部）に開口部２１５を設けたので、立上げ部２１２の折り曲げ加工時に折り曲げる部分が少なくなり、折り曲げ精度が向上する。立上げ部２１２はステム１７９を保持する部分であるので、高い折り曲げ精度が要求される。つまり、対物レンズ１６５の位置精度は、折り曲げ部２１２の精度に依存する。従って、立上げ部２１２の折り曲げ角度の精度が大きく変動する場合、対物レンズの位置、傾斜量が変動し、対物レンズの位置の変動は、ピックアップハウジング２１０に設けられている光源から発せられる光束の光軸と対物レンズの光軸とのずれを惹起し、対物レンズの傾斜量の変動は、傾き調整時の調整ストロークの増大を招く。
従って、立上げ部２１２を屈曲させる際に折り曲げ部に開口部２１５があることにより、折り曲げ面積が少なくなり、折り曲げ精度が向上し、上記不具合を一挙に解消できる。
【００１２】
【発明の効果】
以上のように本発明によれば、対物レンズの傾き調整後に、ピックアップハウジングに対してアクチュエータベースを固定する手段として半田等の接着剤を用いることにより、部品点数を削減する等の効果を奏することができる。
即ち、請求項１の発明は、ピックアップハウジングの上面等に複数のピンを突設すると共に、対物レンズアクチュエータの底部を構成するアクチュエータベ−スの張り出し部に設けた複数の開口部内に前記ピンを嵌合して対物レンズの傾斜量の調整を行った上で、複数のピンと開口部との間に接着剤を充填してアクチュエータベースをピックアップハウジングに接着固定したので、対物レンズを弾性支持する部品をピックアップハウジングに直接接着することが可能になり、中間部材が不要となり、部品点数を削減することが可能となる。
また、ピックアップハウジングのピンは、対物レンズの光軸と直交する方向へ突出しているので、アクチュエータベースの下面にピックアップハウジングが存在する必要がなく、光ピックアップの薄型化が可能となる。
請求項２の発明は、ピックアップハウジングの上面等に複数のピンを突設すると共に、対物レンズアクチュエータの底部を構成するアクチュエータベ−スの張り出し部に設けた複数の開口部内に前記ピンを嵌合して対物レンズの傾斜量の調整を行った上で、複数のピンと開口部との間に接着剤を充填してアクチュエータベースをピックアップハウジングに接着固定したので、対物レンズを弾性支持する部品をピックアップハウジングに直接接着することが可能になり、中間部材が不要となり、部品点数を削減することが可能となる。
また、ピックアップハウジングのピンは、対物レンズの光軸と直交する方向へ突出しているので、アクチュエータベースの下面にピックアップハウジングが存在する必要がなく、光ピックアップの薄型化が可能となる。
また、対物レンズアクチュエータのアクチュエータベースは、少なくとも弾性支持部材（４本のワイヤー）を固定したステムを固定する板金であって立上げ部を後部に有し、開口部は、立上げ部の根本（屈曲部）に設けたので、立上げ部分の折り曲げ加工の曲げ精度が向上し、対物レンズの保持位置精度の高精度化が可能となる。つまり、アクチュエータベースの部品精度を向上させることができる。
請求項３の発明は、対物レンズの傾き調整時には、対物レンズ周辺に顕微鏡あるいは調整基準ディスクがある為に、対物レンズアクチュエータを保持する治具を差し込む空スペースが少ない。そこで、対物レンズの光軸と情報記録媒体とが直交するべく、ピックアップハウジングに対して対物レンズアクチュエータの傾き調整を行うために、アクチュエータベース底面に被保持部分を設けた。この被保持部分は、対物レンズに対して情報記録媒体と反対側位置に設けたので、傾き調整時にアクチュエータベースを保持する治具は、対物レンズと反対側（アクチュエータベース底面）にあればよく、対物レンズ周辺に治具を差し込む空スペースが不要となり、傾き調整が容易となる。
請求項４の発明は、ピックアップハウジングに設けたピンを、銅、黄銅、金などの半田接着可能な材料から構成したので、接着剤を半田とした場合に、簡単な構造で、対物レンズを弾性支持する部品をピックアップハウジングに直接接着することが可能になり、中間部材が不要となり、部品点数を削減することが可能となる。
請求項５の発明は、ピックアップハウジングのピンとして半田接着不良の材料を用いたとしてもその表面に錫、半田などの半田接着可能な材料をメッキするので、接着剤として半田を用いた場合に、簡単な構造で、対物レンズを弾性支持する部品をピックアップハウジングに直接接着することが可能になり、中間部材が不要となり、部品点数を削減することが可能となる。
【図面の簡単な説明】
【図１】  (a) は本発明の一実施形態に係る光ピックアップ装置の一例の全体構成を示す斜視図、(b) はその平面図。
【図２】接着剤を開口部内に充填して固定した後の状態を示す図。
【図３】本発明の他の実施形態に係る対物レンズアクチュエータ及びピックアップハウジングの構成説明図。
【図４】本発明の他の実施形態に係る対物レンズアクチュエータの平面図。
【図５】本発明の他の実施形態に係る対物レンズアクチュエータの後面図。
【図６】本発明の他の実施形態に係る対物レンズアクチュエータの平面図。
【図７】本発明の他の実施形態に係るアクチュエータベースの斜視図。
【図８】従来例の説明図。
【符号の説明】
１６０  対物レンズアクチュエータ、１６５  対物レンズ、１７０  レンズホルダー、１７１  フォーカシングコイル、１７２  トラッキングコイル、１７３  ボビン、１７４  アクチュエータベース、１７５  磁石、１７６  ヨーク、１７７  トップヨーク、１７９  ステム、１８０  ワイヤー、１８０ａ  ダイヤフラムバネ，２００  ピン、２０１  開口部、２０３  接着剤、２１０  ピックアップハウジング、２１２  立上げ部、２１５  開口部、２１５Ａ  被接着部分、２１５Ｂ  ガイド部分、２５０、２５１  開口部。
【図１】
0003979620.tif 000002
【図２】
0003979620.tif 000003
【図３】
0003979620.tif 000004
【図４】
0003979620.tif 000005
【図５】
0003979620.tif 000006
【図６】
0003979620.tif 000007
【図７】
0003979620.tif 000008
【図８】
0003979620.tif 000009